(57)【特許請求の範囲】
【請求項１】
相対する第１と第２の直線状横辺と、相対する第1と第２の直線状縦辺とを有し、相交差する横辺と縦辺の交差部に円弧状辺を備える底板と、
底板の第１と第２の横辺のそれぞれに連設され、当該横辺の両側に位置する両側の円弧状辺の円弧長以上に延びた舌片部を両端部に備える第１と第２の横外側板と、
第１と第２の横外側板における底板の第１と第２の横辺のそれぞれに連設された辺に相対する辺に、該底板の第１と第２の横辺のそれぞれに対応する範囲において連設される第１と第２の上板と、
第１と第２の上板における第１と第２の横外側板のそれぞれに連設された辺に相対する辺に、該底板の第１と第２の横辺のそれぞれと、当該横辺の両側に位置する両側の円弧状辺とに対応する範囲において連設される第１と第２の横内側板とを有し、
第１と第２の上板は、第１と第２の横外側板のそれぞれに連設された辺の両端部と、第１と第２の横内側板のそれぞれに連設された辺の両端部とをつなぐ円弧状端部を備え、
第１と第２の横外側板はそれらの舌片部の両端部に互いに連結できる連結部を備え、及び／又は、第１と第２の横内側板はそれらの両端部に互いに連結できる連結部を備え、
底板の第１と第２の縦辺のそれぞれに連設される第１と第２の縦外側板と、
第１と第２の縦外側板における底板の第１と第２の縦辺のそれぞれに連設された辺に相対する辺に連設される第１と第２の縦内側板と、
第１と第２の縦内側板における第１と第２の縦外側板のそれぞれに連設された辺に相対する辺に連設される第１と第２の保持板とを有し、
第１と第２の各横外側板が底板に対して直角に起立され、該横外側板の舌片部が該底板の円弧状辺の外側に円弧状をなして巻付けられるとともに、第１と第２の各上板が第１と第２の各横外側板に対して直角に折り曲げられて該上板の円弧状端部が第１と第２の各横外側板の円弧状舌片部に添設され、第１と第２の各横内側板が第１と第２の各上板のそれぞれに対して直角に折り曲げられ、第１と第２の各横外側板の連結部が互いに連結され、及び／又は、第１と第２の各横内側板の連結部が互いに連結され、
更に、第１と第２の各縦外側板が底板に対して直角に起立されて第１と第２の各横外側板の連結部、及び／又は、第１と第２の各横内側板の連結部の外側に添設され、第１と第２の各縦内側板が第１と第２の各縦外側板に対して180度折り曲げられて第１と第２の各横外側板の連結部、及び／又は、第１と第２の各横内側板の連結部の内側に添設され、第１と第２の保持板が底板の内側面に固定化されて組立てられ、
組立状態で、第１と第２の横外側板と第１と第２の縦外側板とが、底板の第１と第２の横辺及び第１と第２の縦辺並びに各円弧状辺に沿って起立され、それらの横外側板と縦外側板の交差部に円弧状角部を備えた外周壁が形成されてなる容器。
【請求項２】
前記第１と第２の各横外側板の舌片部が、底板の各円弧状辺の外側に円弧状をなして巻付けられた状態で、該円弧状舌片部において該底板の第１と第２の各横辺に連設された辺の両側に延在する各辺が、該底板よりも下方に突出する突出部を形成してなる請求項１に記載の容器。
【請求項３】
前記第１と第２の各上板が第１と第２の各横外側板に対して直角に折り曲げられた状態で、該上板の円弧状端部が各横外側板における円弧状舌片部の上端面に載置されてなる請求項１又は２に記載の容器。
【請求項４】
前記第１と第２の横内側板における第１と第２の上板のそれぞれに連設された辺に相対する辺に連設され、第１と第２の縦内側板に連設された第１と第２の保持板のそれぞれを底板との間に挟持する押え板を有してなる請求項１乃至３のいずれかに記載の容器。
【請求項５】
前記組立状態の容器の第１と第２の横外側板と第１と第２の縦外側板とが形成する外周壁の全周囲に渡って離間することなく沿う状態にて被覆される蓋体を有し、該蓋体が絞り成形体からなる請求項１乃至４のいずれかに記載の容器。
【発明の詳細な説明】
【技術分野】
【０００１】
本発明は容器に関する。
【背景技術】
【０００２】
従来の紙製容器として、特許文献１に記載の如く、帯状の外側板と、相交差する横辺と縦辺の交差部に円弧状辺を備えた底板とを有してなるものがある。外側板は、底板の円弧状辺に沿って起立することとなる部分に複数の折り目筋を備えており、無端周回状をなすように折り曲げられた両端部をホッチキス止め状態とされたとき、４つの角部に円弧状角部が形成されたものになる。こうして形成されたほぼ四辺形の外側板の下辺に底板を接着して容器を組立てたとき、容器は円弧状角部を備えた外周壁が形成されたものになる。
【先行技術文献】
【特許文献】
【０００３】
【特許文献１】特開平7-205979号公報
【発明の概要】
【発明が解決しようとする課題】
【０００４】
特許文献１に記載の容器には以下の問題点がある。
(1)円弧状角部を備えた外周壁が形成された容器を組立てるに際し、帯状の外側板と、底板の２部品が必要になり、それらの接着工程が必要になる。
【０００５】
(2)外側板を折り曲げて円弧状角部を形成するために、外側板に折目筋を備えておく必要がある。
【０００６】
本発明の課題は、円弧状角部を備えた外周壁が形成された容器を簡易に組立て可能にすることにある。
【課題を解決するための手段】
【０００７】
請求項１に係る発明は、相対する第１と第２の直線状横辺と、相対する第1と第２の直線状縦辺とを有し、相交差する横辺と縦辺の交差部に円弧状辺を備える底板と、底板の第１と第２の横辺のそれぞれに連設され、当該横辺の両側に位置する両側の円弧状辺の円弧長以上に延びた舌片部を両端部に備える第１と第２の横外側板と、第１と第２の横外側板における底板の第１と第２の横辺のそれぞれに連設された辺に相対する辺に、該底板の第１と第２の横辺のそれぞれに対応する範囲において連設される第１と第２の上板と、第１と第２の上板における第１と第２の横外側板のそれぞれに連設された辺に相対する辺に、該底板の第１と第２の横辺のそれぞれと、当該横辺の両側に位置する両側の円弧状辺とに対応する範囲において連設される第１と第２の横内側板とを有し、第１と第２の上板は、第１と第２の横外側板のそれぞれに連設された辺の両端部と、第１と第２の横内側板のそれぞれに連設された辺の両端部とをつなぐ円弧状端部を備え、第１と第２の横外側板はそれらの舌片部の両端部に互いに連結できる連結部を備え、及び／又は、第１と第２の横内側板はそれらの両端部に互いに連結できる連結部を備え、底板の第１と第２の縦辺のそれぞれに連設される第１と第２の縦外側板と、第１と第２の縦外側板における底板の第１と第２の縦辺のそれぞれに連設された辺に相対する辺に連設される第１と第２の縦内側板と、第１と第２の縦内側板における第１と第２の縦外側板のそれぞれに連設された辺に相対する辺に連設される第１と第２の保持板とを有し、第１と第２の各横外側板が底板に対して直角に起立され、該横外側板の舌片部が該底板の円弧状辺の外側に円弧状をなして巻付けられるとともに、第１と第２の各上板が第１と第２の各横外側板に対して直角に折り曲げられて該上板の円弧状端部が第１と第２の各横外側板の円弧状舌片部に添設され、第１と第２の各横内側板が第１と第２の各上板のそれぞれに対して直角に折り曲げられ、第１と第２の各横外側板の連結部が互いに連結され、及び／又は、第１と第２の各横内側板の連結部が互いに連結され、更に、第１と第２の各縦外側板が底板に対して直角に起立されて第１と第２の各横外側板の連結部、及び／又は、第１と第２の各横内側板の連結部の外側に添設され、第１と第２の各縦内側板が第１と第２の各縦外側板に対して180度折り曲げられて第１と第２の各横外側板の連結部、及び／又は、第１と第２の各横内側板の連結部の内側に添設され、第１と第２の保持板が底板の内側面に固定化されて組立てられ、組立状態で、第１と第２の横外側板と第１と第２の縦外側板とが、底板の第１と第２の横辺及び第１と第２の縦辺並びに各円弧状辺に沿って起立され、それらの横外側板と縦外側板の交差部に円弧状角部を備えた外周壁が形成されてなるようにしたものである。
【０００８】
請求項２に係る発明は、請求項１に係る発明において更に、前記第１と第２の各横外側板の舌片部が、底板の各円弧状辺の外側に円弧状をなして巻付けられた状態で、該円弧状舌片部において該底板の第１と第２の各横辺に連設された辺の両側に延在する各辺が、該底板よりも下方に突出する突出部を形成してなるようにしたものである。
【０００９】
請求項３に係る発明は、請求項１又は２に係る発明において更に、前記第１と第２の各上板が第１と第２の各横外側板に対して直角に折り曲げられた状態で、該上板の円弧状端部が各横外側板における円弧状舌片部の上端面に載置されてなるようにしたものである。
【００１０】
請求項４に係る発明は、請求項１乃至３のいずれかに係る発明において更に、前記第１と第２の横内側板における第１と第２の上板のそれぞれに連設された辺に相対する辺に連設され、第１と第２の縦内側板に連設された第１と第２の保持板のそれぞれを底板との間に挟持する押え板を有してなるようにしたものである。
【００１１】
請求項５に係る発明は、請求項１乃至４のいずれかに係る発明において更に、前記組立状態の容器の第１と第２の横外側板と第１と第２の縦外側板とが形成する外周壁の全周囲に渡って離間することなく沿う状態にて被覆される蓋体を有し、該蓋体が絞り成形体からなるようにしたものである。
【発明の効果】
【００１２】
（請求項１）
(a)容器は、底板、第１と第２の横外側板、第１と第２の上板、第１と第２の横内側板、第１と第２の縦外側板、第１と第２の縦内側板、及び第１と第２の保持板の各板を互いに連設し、それらの各板を互いに折り曲げて組立てられる。従って、複数の分離された板を用いたり、それらの各板を接着する必要がなく、構造は簡素である。
【００１３】
(b)第１と第２の各横外側板の舌片部が底板の円弧状辺の外側に円弧状をなして巻付けられるとともに、第１と第２の各上板の円弧状端部が第１と第２の各横外側板の円弧状舌片部に添設される。これにより、第１と第２の各横外側板は、それらの舌片部が底板の円弧状辺及び各上板の円弧状端部に倣って安定した円弧状をなし、折目筋を備えることなく円弧状舌片部を形成できる。従って、組立状態の容器において、各横外側板と各縦外側板の交差部に簡易に、円弧状角部を備えた外周壁を形成できる。
【００１４】
(c)容器の組立状態で、第１と第２の各横外側板の連結部が互いに連結され、及び／又は、第１と第２の横内側板の連結部が互いに連結される。従って、容器に作用する外力により、第１の横外側板、第１の上板、及び第１の横内側板の組と、第２の横外側板、第２の上板、及び第２の横内側板の組とが互いに離隔する方向に倒れることがそれらの連結部の存在によって阻止され、容器の安定した組立状態が維持される。
【００１５】
(d)容器の組立状態で、第１と第２の保持板が底板の内側面に固定化される。これにより、容器の安定した組立状態が維持される。
【００１６】
（請求項２）
(e)前記第１と第２の各横外側板の舌片部が、底板の各円弧状辺の外側に円弧状をなして巻付けられた状態で、該円弧状舌片部において該底板の第１と第２の各横辺に連設された辺の両側に延在する各辺が、該底板よりも下方に突出する突出部を形成する。従って、円弧状舌片部に形成される突出部が、底板の円弧状辺の周囲に被さるようにして、該円弧状辺の外側に安定的に巻付けられる。組立状態の容器に円弧状角部を備えた外周壁を安定的に形成できる。
【００１７】
また、容器における外周壁の４つの角部に形成される各突出部は、容器がテーブル面等に載置されるときの脚部となり、容器の着座姿勢を安定化する。
【００１８】
また、複数の容器を段積みするとき、上側の容器の４つの角部に形成された各突出部が、下側の容器の４つの角部に位置する各横外側板の円弧状舌片部の上縁部まわりに嵌合し、各容器の段積姿勢を安定化する。
【００１９】
（請求項３）
(f)前記第１と第２の各上板が第１と第２の各横外側板に対して直角に折り曲げられた状態で、該上板の円弧状端部が各横外側板における円弧状舌片部の上端面に載置される。従って、組立状態の容器において、上板の上面に作用する下向き外力は、各横外側板の板面に沿う方向で該横外側板の円弧状舌片部に伝えられ、該横外側板によって安定的に支持される。また、容器の平面視で、上板は各横外側板の円弧状舌片部を完全に上方から覆い、上板と該円弧状舌片部との組立隙間を隠し、容器の美的外観性を向上する。
【００２０】
（請求項４）
(g)前記第１と第２の横内側板における第１と第２の上板のそれぞれに連設された辺に相対する辺に連設され、第１と第２の縦内側板に連設された第１と第２の保持板のそれぞれを底板との間に挟持する押え板を有する。従って、第１と第２の保持板は、押え板の存在によって底板の内側面に安定的に固定化され、容器の安定した組立状態が維持される。
【００２１】
（請求項５）
(h)前記組立状態の容器の第１と第２の横外側板と第１と第２の縦外側板とが形成する外周壁の全周囲に渡って離間することなく沿う状態にて被覆される蓋体を有し、該蓋体が絞り成形体からなる。従って、絞り成形体からなる蓋体が外周壁の角部に円弧状角部を備えているとき、この蓋体はその円弧状角部の内側面を容器の外周壁の全周囲に大きな隙間を生じさせることなく、該容器の全周囲に嵌合できる。
【図面の簡単な説明】
【００２２】
【図１】図１は容器を示し、（Ａ）は斜視図、（Ｂ）は縦断面図である。
【図２】図２は容器の３段積層状態を示す斜視図である。
【図３】図３は容器のブランクを示す模式図である。
【図４】図４は容器の第１組立工程を示す模式斜視図である。
【図５】図５は容器の第２組立工程を示し、（Ａ）は模式斜視図、（Ｂ）は模式平面図である。
【図６】図６は容器の第３組立工程を示す模式斜視図である。
【図７】図７は連結部を示す模式図である。
【図８】図８は横外側板の円弧状舌片部が底板よりも下方に突出する突出部を示す模式図である。
【図９】図９は上板の円弧状端部が横外側板の円弧状舌片部の上端面に載置された状態を示す模式図である。
【発明を実施するための形態】
【００２３】
図１に示した紙容器１００は、１枚の板紙Ａを折り畳んで組立てたものであり、蓋体２００が着脱自在に嵌合して被覆される。
【００２４】
尚、蓋体２００は、例えば特願2015-019732に係る紙製容器の製造方法により、低密度紙からなる紙製ブランクを、その板厚より小さいクリアランスを備えた一対の金型（雌型と雄型）で絞り成形して製造できる。
【００２５】
ここで、蓋体２００は、天面部２０１の相対する２つの横辺に交差する２つの横面部２０２Ａ、２０２Ｂと、天面部２０１の相対する２つの縦辺に交差する２つの縦面部２０３Ａ、２０３Ｂを有する。そして、天面部２０１と各横面部２０２Ａ、２０２Ｂ及び各縦面部２０３Ａ、２０３Ｂとの交差部に各円弧状角部２０４を備えるとともに、天面部２０１と横面部２０２Ａ及び縦面部２０３Ａとの交差部、天面部２０１と横面部２０２Ａ及び縦面部２０３Ｂとの交差部、天面部２０１と横面部２０２Ｂ及び縦面部２０３Ａとの交差部、並びに天面部２０１と横面部２０２Ｂ及び縦面部２０３Ｂとの交差部のそれぞれに各円弧状角部２０５を備える。各円弧状角部２０４は概ね円筒状曲面をなし、各円弧状角部２００５は概ね球状曲面をなす。
【００２６】
蓋体２００は、容器１００の後述する外周壁１０１の全周囲に渡って離間することなく沿う状態（小隙間を介する状態、又は接する状態）にて、該容器１００に嵌合して被覆される。また、蓋体２００は、図２に示す如くの３段積等に積層された複数の容器１００の最上段に位置する容器１００に被覆される。
【００２７】
以下、容器１００の構成について説明する。
容器１００に用いられる板紙Ａは、図３に示す如く、底板１０、第１と第２の横外側板２１、２２、第１と第２の上板３１、３２、第１と第２の横内側板４１、４２、第１と第２の縦外側板５１、５２、第１と第２の縦内側板６１、６２、第１と第２の保持板７１、７２とを有する。
【００２８】
底板１０は、相対する第１と第２の直線状横辺１１、１２と、相対する第１と第２の直線状縦辺１３、１４とを有し、相交差する横辺１１、１２と縦辺１３、１４の各交差部に各円弧状辺１５を備える。
【００２９】
第１と第２の横外側板２１、２２は、底板１０の第１と第２の横辺１１、１２のそれぞれに罫線を介して連設され、当該横辺１１、１２の両側に位置する両側の円弧状辺１５の円弧長Ｌ（図３）以上に延びた舌片部２３、２３を両端部に備える。尚、第１と第２の横外側板２１、２２は、それらの舌片部２３、２３の両端部に、互いに連設できる連結部２４、２４を備える。各連結部２４は、連結用スリット２４Ｓを備える（図７）。
【００３０】
第１と第２の上板３１、３２は、第１と第２の横外側板２１、２２における底板１０の第１と第２の横辺１１、１２のそれぞれに連設された辺ａに相対する辺ｂに、該底板１０の第１と第２の横辺１１、１２のそれぞれに対応する範囲ｊ（図３）において罫線を介して連設される。第１と第２の上板３１、３２は、第１と第２の横外側板２１、２２のそれぞれに連設された辺ｂの両端部と、第１と第２の横内側板４１、４２のそれぞれに後述する如くに連設される辺ｃの両端部とをつなぐ円弧状端部３３、３３を備える。
【００３１】
第１と第２の横内側板４１、４２は、第１と第２の上板３１、３２における第１と第２の横外側板２１、２２のそれぞれに連設された辺ｂに相対する辺ｃに、底板１０の第１と第２の横辺１１、１２のそれぞれと、当該横辺１１、１２の両側に位置する両側の円弧状辺１５とに対応する範囲Ｋ（図３）において罫線を介して連設される。尚、第１と第２の横内側板４１、４２は、それらの両端部に、互いに連結できる連結部４３、４３を備える。各連結部４３は、連結用スリット４３Ｓを備える（図７）。第１と第２の横内側板４１、４２における第１と第２の上板３１、３２のそれぞれに連設された辺ｃに相対する辺ｄには、罫線を介して、押え板４４、４４が連設される。各押え板４４は、上記辺ｄに設けられた罫線（本実施例では罫線上の２カ所）に交差するＵ字状スリットにてそれらの横内側板４１、４２と切離された切離片４４Ａを一体に備える。
【００３２】
第１と第２の縦外側板５１、５２は、底板１０の第１と第２の縦辺１３、１４のそれぞれに罫線を介して連設される。
【００３３】
第１と第２の縦内側板６１、６２は、第１と第２の縦外側板５１、５２における底板１０の第１と第２の縦辺１３、１４のそれぞれに連設された辺ｃに相対する辺ｆに罫線を介して連設される。
【００３４】
第１と第２の保持板７１、７２は、第１と第２の縦内側板６１、６２における第１と第２の縦外側板５１、５２のそれぞれに連設された辺ｆに相対する辺ｇに罫線を介して連設される。
【００３５】
以下、板紙Ａの上述した各板を罫線で折り畳んで組立てられる容器１００の組立構造について説明する。
【００３６】
(1)第１と第２の各横外側板２１、２２が底板１０に対して直角に起立され、該横外側板２１、２２の舌片部２３、２３が該底板１０の各円弧状辺１５の外側に円弧状をなして巻付けられる。
【００３７】
(2)第１と第２の各上板３１、３２が第１と第２の各横外側板２１、２２に対して直角に折り曲げられて該上板３１、３２の円弧状端部３３が第１と第２の各横外側板２１、２２の円弧状舌片部２３に添設される。
【００３８】
(3)第１と第２の各横内側板４１、４２が第１と第２の各上板３１、３２のそれぞれに対して直角に折り曲げられる。
【００３９】
更に、各押え板４４を第１と第２の横内側板４１、４２に対し、容器１００の内方領域（底板１０の横線１１、１２に挟まれる領域）に向けて直角に折り曲げ、底板１０の内側面に添設させる（図４）。
【００４０】
(4)第１と第２の各横外側板２１、２２の連結部２４が、それらの連結用スリット２４Ｓを用いて互いに連結される（図５、図７）。
【００４１】
また、第１と第２の各横内側板４１の連結部４３が、それらの連結用スリット４３Ｓを用いて互いに連結される（図５、図７）。
【００４２】
(5)第１と第２の各縦外側板５１、５２が底板１０に対して直角に起立され、第１と第２の横外側板２１、２２の連結部２４、及び／又は、第１と第２の各横内側板４１、４２の連結部４３の外側に添設される。
【００４３】
(6)第１と第２の各縦内側板６１、６２が第１と第２の各縦外側板５１、２２に対して180度折り曲げられ、第１と第２の各横外側板２１、２２の連結部２４、及び／又は、第１と第２の各横内側板４１、４２の連結部４３の内側に添設される。
【００４４】
更に、第１と第２の保持板７１、７２を、第１と第２の各縦内側板６１、６２に対し、容器１００の内方領域（底板１０の縦辺１３、１４に挟まれる領域）に向けて直角に折り曲げ、底板１０の内側面に添設させる。そして、各保持板７１、７２における底板１０の縦辺１３、１４に沿う長手方向の両端部を、前述(3)で底板１０の内側面に添設されている各押え板４４の下側に差し込み、各押え板４４と底板１０の内側面との間に挟み込み固定化し、容器１００の組立てを完了する（図６）。
【００４５】
(7)容器１００の組立状態で、第１と第２の横外側板２１、２２と第１と第２の縦外側板５１、５２とが、底板１０の第１と第２の横辺１１、１２及び第１と第２の縦辺１３、１４並びに各円弧状辺１５に沿って起立され、それらの横外側板２１、２２と縦外側板５１、５２によって容器１００の外周壁１０１が形成される。その外周壁１０１は、それらの横外側板２１、２２と縦外側板５１、５２が交差する４つの角部に、横外側板２１、２２の円弧状舌片部２３が形成する円弧状角部１０２を備えるものになる。
【００４６】
これにより、蓋体２００は、横面部２０２Ａ、２０２Ｂ及び縦面部２０３Ａ、２０３Ｂ並びに各円弧状角部２０５からなる内周壁２０６を、容器１００における外周壁１０１の全周囲に渡って離間することなく沿う状態にて、該容器１００に被覆され得るものになる。
【００４７】
尚、容器１００にあっては、外周壁１０１の４つの角部に位置する第１と第２の各横外側板２２、２２の舌片部２３、２３が、前述(1)の如くに、底板１０の各円弧状辺１５の外側に円弧状をなして巻付けられた状態で、該円弧状舌片部２３において該底板１０の第１と第２の各横辺１１、１２に連設された辺ａの両側に延在する各辺ａ1、ａ1（図３）が、図８に示す如く、該底板１０よりも下方に突出する突出部２５を形成するものとされる。
【００４８】
また、良き１００にあっては、第１と第２の各上板３１、３２が、前述(2)の如くに、第１と第２の各横外側板２１、２２に対して直角に折り曲げられた状態で、該上板３１、３２の円弧状端部３３、３３が、図９に示す如く、各横外側板２１、２２における円弧状舌片部２３の両端面に載置されるものとされる。
【００４９】
従って、本実施例によれば以下の作用効果を奏する。
(a)容器１００は、底板１０、第１と第２の横外側板２１、２２、第１と第２の上板３１、３２、第１と第２の横内側板４１、４２、第１と第２の縦外側板５１、５２、第１と第２の縦内側板６１、６２、及び第１と第２の保持板７１、７２の各板を互いに連設し、それらの各板を互いに折り曲げて組立てられる。従って、複数の分離された板を用いたり、それらの各板を接着する必要がなく、構造は簡素である。
【００５０】
(b)第１と第２の各横外側板２１、２２の舌片部２３が底板１０の円弧状辺１５の外側に円弧状をなして巻付けられるとともに、第１と第２の各上板３１、３２の円弧状端部３３が第１と第２の各横外側板２１、２２の円弧状舌片部２３に添設される。これにより、第１と第２の各横外側板２１、２２は、それらの舌片部２３が底板１０の円弧状辺１５及び各上板３１、３２の円弧状端部３３に倣って安定した円弧状をなし、折目筋を備えることなく円弧状舌片部２３を形成できる。従って、組立状態の容器１００において、各横外側板２１、２２と各縦外側板５１、５２の交差部に簡易に、円弧状角部１０２を備えた外周壁１０１を形成できる。
【００５１】
(c)容器１００の組立状態で、第１と第２の各横外側板２１、２２の連結部２４が互いに連結され、及び／又は、第１と第２の横内側板４１、４２の連結部４３が互いに連結される。従って、容器１００に作用する外力により、第１の横外側板２１、２２、第１の上板３１、３２、及び第１の横内側板４１、４２の組と、第２の横外側板２１、２２、第２の上板３１、３２、及び第２の横内側板４１、４２の組とが互いに離隔する方向に倒れることがそれらの連結部２４、４３の存在によって阻止され、容器１００の安定した組立状態が維持される。
【００５２】
(d)容器１００の組立状態で、第１と第２の保持板７１、７２が底板１０の内側面に固定化される。これにより、容器１００の安定した組立状態が維持される。
【００５３】
(e)前記第１と第２の各横外側板２１、２２の舌片部２３が、底板１０の各円弧状辺１５の外側に円弧状をなして巻付けられた状態で、該円弧状舌片部２３において該底板１０の第１と第２の各横辺１１、１２に連設された辺ａの両側に延在する各辺ａ1、ａ2が、該底板１０よりも下方に突出する突出部２５を形成する。従って、円弧状舌片部２３に形成される突出部２５が、底板１０の円弧状辺１５の周囲に被さるようにして、該円弧状辺１５の外側に安定的に巻付けられる。組立状態の容器１００に円弧状角部１０２を備えた外周壁１０１を安定的に形成できる。
【００５４】
また、容器１００における外周壁１０１の４つの角部に形成される各突出部２５は、容器１００がテーブル面等に載置されるときの脚部となり、容器１００１００の着座姿勢を安定化する。
【００５５】
また、複数の容器１００を段積みするとき、上側の容器１００の４つの角部に形成された各突出部２５が、下側の容器１００の４つの角部に位置する各横外側板２１、２２の円弧状舌片部２３の上縁部まわりに嵌合し、各容器１００の段積姿勢を安定化する。
【００５６】
(f)前記第１と第２の各上板３１、３２が第１と第２の各横外側板２１、２２に対して直角に折り曲げられた状態で、該上板３１、３２の円弧状端部３３が各横外側板２１、２２における円弧状舌片部２３の上端面に載置される。従って、組立状態の容器１００において、上板３１、３２の上面に作用する下向き外力は、各横外側板２１、２２の板面に沿う方向で該横外側板２１、２２の円弧状舌片部２３に伝えられ、該横外側板２１、２２によって安定的に支持される。また、容器１００の平面視で、上板３１、３２は各横外側板２１、２２の円弧状舌片部２３を完全に上方から覆い、上板３１、３２と該円弧状舌片部２３との組立隙間を隠し、容器１００の美的外観性を向上する。
【００５７】
(g)前記第１と第２の横内側板４１、４２における第１と第２の上板３１、３２のそれぞれに連設された辺ｃに相対する辺ｄに連設され、第１と第２の縦内側板６１、６２に連設された第１と第２の保持板７１、７２のそれぞれを底板１０との間に挟持する押え板４４を有する。従って、第１と第２の保持板７１、７２は、押え板４４の存在によって底板１０の内側面に安定的に固定化され、容器１００の安定した組立状態が維持される。
【００５８】
但し、容器１００にあっては、上述の押え板４４を備えず、第１と第２の保持板７１、７２を前述(6)で第１と第２の各横内側板６１、６２に対し、容器１００の内方領域に向けて直角に折り曲げ、底板１０の内側面に添設させた状態で、それらの保持板７１、７２の少なくとも一部を接着剤等によって該底板１０の内側面に固定化しても良い。
【００５９】
(h)前記組立状態の容器１００の第１と第２の横外側板２１、２２と第１と第２の縦外側板５１、５２とが形成する外周壁１０１の全周囲に渡って離間することなく沿う状態にて被覆される蓋体２００を有し、該蓋体２００が絞り成形体からなる。従って、絞り成形体からなる蓋体２００が外周壁１０１の角部に円弧状角部１０２を備えているとき、この蓋体２００はその円弧状角部１０２の内側面を容器１００の外周壁１０１の全周囲に大きな隙間を生じさせることなく、該容器１００の全周囲に嵌合できる。
【００６０】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の容器は、紙に限定されず、プラスチックシート、又はプラスチックシートがラミネート加工された紙等を素材として用いることもできる。
【００６１】
また、本発明の容器は、第１と第２の横内側板４１、４２及び第１と第２の縦内側板６１、６２によって形成される内周壁の内部に、枠状仕切り部品等を装填しても良い。容器１００が外周壁１０１に作用する外力によって該容器１００の内方領域に向けて変形しようとするとき、上記仕切り部品等が相対する内周壁に当接する突張り材となって、その変形を抑止する。
【００６２】
また、本発明の容器に被覆される蓋体は、必ずしも絞り成形体からなるものに限定されない。
【産業上の利用可能性】
【００６３】
本発明によれば、円弧状角部を備えた外周壁が形成された容器を簡易に組立て可能にすることができる。
【符号の説明】
【００６４】
１０  底板
１１、１２  横辺
１３、１４  縦辺
１５  円弧状辺
２１、２２  第１と第２の横外側板
２３  舌片部
２４  連結部
３１、３２  第１と第２の上板
３３  円弧状端部
４１、４２  第１と第２の横内側板
４３  連結部
４４  押え板
５１、５２  第１と第２の縦外側板
６１、６２  第１と第２の縦内側板
７１、７２  第１と第２の保持板
１００  容器
１０１  外周壁
１０２  円弧状角部
２００  蓋体
【図１】
0006393447.tif 000002
【図２】
0006393447.tif 000003
【図３】
0006393447.tif 000004
【図４】
0006393447.tif 000005
【図５】
0006393447.tif 000006
【図６】
0006393447.tif 000007
【図７】
0006393447.tif 000008
【図８】
0006393447.tif 000009
【図９】
0006393447.tif 000010